(57)【要約】【課題】組み立てに要する労力を軽減させて取り扱い性を向上させることができるフィルタを提供すること。【解決手段】フィルタカートリッジ２は、所定の厚み、幅、高さを有する板状の複数のフィルタプレート２１と、これが着脱可能に取り付けられた環状の一対のプレート取り付け部材２２とを備え、フィルタプレート２１は、厚みを隔てて互いに対向する表面２１ａおよび／または裏面２１ｂに、フィルタ本体における液体の流路の一部を構成するための複数の溝部２１１が形成され、かつ、プレート取り付け部材２２の外周に、他のフィルタプレート２１と周方向において隣接された状態で取り付けられ、この状態において、他のフィルタプレート２１との間で、表面２１ａ／裏面２１ｂを互いに臨ませて流路の一部を構成していること。【選択図】図２
2013236994.tif 000002
【特許請求の範囲】
【請求項１】
入口から流入させた液体を濾過して出口から流出させるためのフィルタであって、
前記入口および前記出口を有するフィルタケースと、
このフィルタケース内に着脱可能に収容されたフィルタカートリッジと
を備え、
前記フィルタカートリッジは、
所定の厚み、幅および高さを有する板状の複数のフィルタプレートと、
これら複数のフィルタプレートが着脱可能に取り付けられた環状の一対のプレート取り付け部材と
を備え、
前記フィルタプレートは、
前記厚みを隔てて互いに対向する表面および／または裏面に、フィルタ本体における前記液体の流路の一部を構成するための複数の溝部が、幅方向の一端から他端に亘るように形成され、
かつ、
高さ方向に間隔を設けて配置された前記一対のプレート取り付け部材の外周に、厚み方向を各プレート取り付け部材の周方向に沿わせるとともに前記幅方向を各プレート取り付け部材の径方向に沿わせるようにして他の前記フィルタプレートと前記周方向において隣接した状態で取り付けられ、この状態において、隣接する前記他のフィルタプレートとの間で、前記表面または前記裏面を互いに臨ませて前記流路の一部を構成していること
を特徴とするフィルタ。
【請求項２】
前記フィルタプレートは、
前記径方向の外端に位置された前記幅方向の一端から前記径方向の内端に位置された前記幅方向の他端に向かうにしたがって前記厚みが漸減する楔形状に形成されていること
を特徴とする請求項１に記載のフィルタ。
【請求項３】
前記フィルタ本体における液体の流路は、
前記入口から流入させた前記液体を、隣接状態の前記複数のフィルタプレートの前記幅方向の一端にそれぞれ配置された隣接状態の複数の外側面において、前記液体中の異物を捕捉させて濾過させつつ各外側面同士の間から前記溝部による前記流路の一部に流入させ、その後、各フィルタプレートの前記幅方向の他端にそれぞれ配置された隣接状態の複数の内側面同士の間において、前記流路の一部から流出させ、その後、前記プレート取り付け部材の内周面の内側を通過させて前記出口に至らせるような流路であること
を特徴とする請求項２に記載のフィルタ。
【請求項４】
前記フィルタプレートは、
前記径方向の内端に位置された前記幅方向の他端における前記高さ方向の両端近傍位置に、前記一対のプレート取り付け部材がそれぞれ着脱可能に嵌合された一対の切り欠き部を有しており、これら一対の切り欠き部を介して各プレート取り付け部材にワンタッチで着脱可能とされていること
を特徴とする請求項１〜３のいずれか１項に記載のフィルタ。
【請求項５】
前記フィルタケース、前記フィルタプレートおよび前記プレート取り付け部材は、いずれも樹脂材料によって形成されていること
を特徴とする請求項１〜４のいずれか１項に記載のフィルタ。
【発明の詳細な説明】
【技術分野】
【０００１】
本発明は、フィルタに係り、特に、液体の濾過に好適なフィルタに関する。
【背景技術】
【０００２】
従来から、灌漑用等の各種の用途に用いられる水を濾過する手段として、いわゆるディスクフィルタが採用されていた。
【０００３】
ここで、ディスクフィルタは、円環板状の複数のフィルタディスクを、シャフトを通すようにして上下に重ねた状態でフィルタケース内に収容することによって構成されている。
【０００４】
各フィルタディスクの表裏面には、径方向の一端から他端に亘る溝が形成されており、この溝は、他のフィルタディスクと重ねられた状態において、他のフィルタディスクの表／裏面との間で水の流路（導水路）を構成するようになっている。
【０００５】
また、フィルタケースには、水源から供給された水を流入させる入口と、濾過後の水を供給先（下流側）に向けて流出させる出口とが形成されている。
【０００６】
このようなディスクフィルタにおいては、入口からフィルタケース内に流入した水が、各フィルタディスクの溝によって構成される流路内に流入する際に、各フィルタディスクの周端面または流路内において水中の異物が捕捉されるようにして濾過されるようになっていた。
【０００７】
このようなディスクフィルタに関する技術としては、これまでにも、例えば、特許文献１に示すような技術が提案されている。
【先行技術文献】
【特許文献】
【０００８】
【特許文献１】特開平３−４７５０５号公報
【発明の概要】
【発明が解決しようとする課題】
【０００９】
ところで、この種のディスクフィルタは、特許文献１にも記載されているように、細かい異物を捕捉する観点から、各フィルタディスク同士を付勢力を以て隙間無く重ねるためのばね（圧縮ばね）を備えていた。
【００１０】
そして、このようなディスクフィルタを組み立てる際には、例えば、下部フィルタ内に設けられたばね座に、ばねをフィルタディスクに対して軸方向から付勢力を作用させるように配置した状態で、上部ケースと下部ケースとを内部のフィルタディスクを介したばねの押し込みをともないつつ螺合させるようになっていた。
【００１１】
したがって、ディスクフィルタには、組み立ての際にばねを押し込むための人為的な力を要するため、取り扱いが困難であるといった問題点があった。
【００１２】
そこで、本発明は、このような問題点に鑑みなされたものであり、組み立てに要する労力を軽減させて取り扱い性を向上させることができるフィルタを提供することを目的とするものである。
【課題を解決するための手段】
【００１３】
前述した目的を達成するため、本発明の請求項１に係るフィルタの特徴は、入口から流入させた液体を濾過して出口から流出させるためのフィルタであって、前記入口および前記出口を有するフィルタケースと、このフィルタケース内に着脱可能に収容されたフィルタカートリッジとを備え、前記フィルタカートリッジは、所定の厚み、幅および高さを有する板状の複数のフィルタプレートと、これら複数のフィルタプレートが着脱可能に取り付けられた環状の一対のプレート取り付け部材とを備え、前記フィルタプレートは、前記厚みを隔てて互いに対向する表面および／または裏面に、フィルタ本体における前記液体の流路の一部を構成するための複数の溝部が、幅方向の一端から他端に亘るように形成され、かつ、高さ方向に間隔を設けて配置された前記一対のプレート取り付け部材の外周に、厚み方向を各プレート取り付け部材の周方向に沿わせるとともに前記幅方向を各プレート取り付け部材の径方向に沿わせるようにして他の前記フィルタプレートと前記周方向において隣接した状態で取り付けられ、この状態において、隣接する前記他のフィルタプレートとの間で、前記表面または前記裏面を互いに臨ませて前記流路の一部を構成している点にある。
【００１４】
そして、この請求項１に係る発明によれば、複数のフィルタプレートをプレート取り付け部材に周方向において隣接するように取り付けることによって、ばねを押し込む力に比べれば少ない力を以て異物を捕捉する面（すなわち、互いに隣接するフィルタプレートの互いに隣接する幅方向の側面）を構成することができるので、取り扱い性を向上させることができる。
【００１５】
また、請求項２に係るフィルタの特徴は、請求項１において、更に、前記フィルタプレートは、前記径方向の外端に位置された前記幅方向の一端から前記径方向の内端に位置された前記幅方向の他端に向かうにしたがって前記厚みが漸減する楔形状に形成されている点にある。
【００１６】
そして、この請求項２に係る発明によれば、隣接するフィルタプレート同士の密着性を向上させて細かい異物も確実に捕捉することができるので、濾過能力および汎用性を向上させることができる。
【００１７】
さらに、請求項３に係るフィルタの特徴は、請求項２において、更に、前記フィルタ本体における液体の流路は、前記入口から流入させた前記液体を、隣接状態の前記複数のフィルタプレートの前記幅方向の一端にそれぞれ配置された隣接状態の複数の外側面において、前記液体中の異物を捕捉させて濾過させつつ各外側面同士の間から前記溝部による前記流路の一部に流入させ、その後、各フィルタプレートの前記幅方向の他端にそれぞれ配置された隣接状態の複数の内側面同士の間において、前記流路の一部から流出させ、その後、前記プレート取り付け部材の内周面の内側を通過させて前記出口に至らせるような流路である点にある。
【００１８】
そして、この請求項３に係る発明によれば、フィルタプレートが、内側面に比較して面積が大きい外側面において異物を捕捉することができるので、濾過能力の経時低下を緩和することができ、ひいては、フィルタプレートに要する洗浄の頻度を少なくしてメンテナンス労力を軽減することができる。
【００１９】
さらにまた、請求項４に係るフィルタの特徴は、請求項１〜３のいずれか１項において、更に、前記フィルタプレートは、前記径方向の内端に位置された前記幅方向の他端における前記高さ方向の両端近傍位置に、前記一対のプレート取り付け部材がそれぞれ着脱可能に嵌合された一対の切り欠き部を有しており、これら一対の切り欠き部を介して各プレート取り付け部材にワンタッチで着脱可能とされている点にある。
【００２０】
そして、この請求項４に係る発明によれば、フィルタプレートの着脱を容易に行うことができるので、取り扱い性を更に向上させることができる。
【００２１】
また、請求項５に係るフィルタの特徴は、請求項１〜４のいずれか１項において、更に、前記フィルタケース、前記フィルタプレートおよび前記プレート取り付け部材は、いずれも樹脂材料によって形成されている点にある。
【００２２】
そして、この請求項５に係る発明によれば、金属製のばねを要するディスクフィルタのように、液体によってばねが腐食して金属イオンが液体中に溶出して液体の供給対象（例えば、植物）に害をなすようなことがなくなるため、信頼性を確保することができる。
【発明の効果】
【００２３】
本発明によれば、組み立てに要する労力を軽減させて取り扱い性を向上させることができる。
【図面の簡単な説明】
【００２４】
【図１】本発明に係るフィルタの実施形態を示す概略縦断面図
【図２】図１のフィルタにおけるフィルタカートリッジを示す分解縦断面図
【図３】図２の平面図
【図４】図１のフィルタの流路を示す模式図
【発明を実施するための形態】
【００２５】
以下、本発明に係るフィルタの実施形態について、図１〜図４を参照して説明する。
【００２６】
図１は、本実施形態におけるフィルタ１（フィルタ本体）を示す概略縦断面図である。また、図２は、図１のフィルタ１におけるフィルタカートリッジ２を示す分解縦断面図である。さらに、図３は、図２の平面図である。
【００２７】
図１〜図３に示すように、フィルタ１は、大別して、中空のフィルタケース３と、このフィルタケース３内に着脱（収容／取り出し）可能に収容されたフィルタカートリッジ２とによって構成されている。
【００２８】
〔フィルタケースの具体的構成〕
ここで、図１に示すように、フィルタケース３は、上側ケース３１と下側ケース３２とによって構成されている。これら上側ケース３１および下側ケース３２は、いずれも樹脂材料によって形成されている。樹脂材料は、例えば、ポリプロピレン等であってもよい。
【００２９】
まず、上側ケース３１について詳述すると、図１に示すように、上側ケース３１は、円筒形状の外周壁部３１１と、この外周壁部３１１の上端部に連接された半球殻状の天壁部３１２とを有している。
【００３０】
図１に示すように、天壁部３１２上には、図１における左右２カ所の開口部３１２ａ、３１２ｂが穿設されているとともに、各開口部３１２ａ、３１２ｂからそれぞれ上側ケース３１の外方側に向けて、一対の筒状部３１３、３１４が延設されている。
【００３１】
そして、これらの筒状部３１３、３１４のうち、図１における左側の筒状部３１３は、液体の供給源側から供給された液体をフィルタ１の流路内に流入させるための入口３１３とされている。この入口３１３の外周には、液体の供給源側である上流側の配管を螺合させるためのねじ溝が形成されていてもよい。なお、液体は、ポンプによって水源から汲み上げられた水や、水に液肥が混合されたもの等であってもよい。
【００３２】
一方、図１における右側の筒状部３１４は、入口３１３から流入した液体をフィルタ１における濾過後にフィルタ１の流路外に流出させるための出口３１４とされている。この出口３１４は、図１に示すように、開口部３１２ｂから上側ケース３１の内方側にも延びており、この出口３１４の始端部３１４ａは、上側ケース３１の内部中央位置において、下方に向けて垂直に折り曲げられている。この出口３１４の始端部３１４ａは、フィルタカートリッジ２の上端を保持する保持部としても機能するようになっている。一方、この出口３１４における末端部側の外周には、濾過後の液体の供給先側である下流側の配管を螺合させるためのねじ溝が形成されていてもよい。
【００３３】
また、図１に示すように、外周壁部３１１の下端部の外周面には、下側ケース３２を螺合させるための雄ねじ部３１１ａが形成されている。
【００３４】
次に、下側ケース３２について詳述すると、図１に示すように、下側ケース３２は、円筒形状の外周壁部３２１と、この外周壁部３２１の下端部に連接された丸皿状の底壁部３２２とを有している。なお、外周壁部３２１の内径は、上側ケース３１の外周壁部３１１の内径と同径であってもよい。
【００３５】
また、図１に示すように、底壁部３２２の上面の中央位置には、フィルタカートリッジ２の下端を保持するための円筒形状の保持部３２３が、上方に向けて突設されている。なお、保持部３２３の内径は、出口３１４の始端部３１４ａの内径と同径であってもよい。
【００３６】
さらに、図１に示すように、外周壁部３２１の上端部の内周面には、上側ケース３１を螺合させるための雌ねじ部３２１ａが形成されている。ただし、このような構成に限定される必要はなく、上側ケース３１の下端部に雌ねじ部を形成し、下側ケース３２の上端部に雄ねじ部を形成してもよい。
【００３７】
〔フィルタカートリッジの具体的構成〕
一方、図２および図３に示すように、フィルタカートリッジ２は、複数枚のフィルタプレート２１と、これら複数枚のフィルタプレート２１が着脱可能に取り付けられた環状の一対のプレート取り付け部材２２とによって構成されている。各フィルタプレート２１および各プレート取り付け部材２２は、いずれも樹脂材料によって形成されている。樹脂材料は、例えば、ポリプロピレン等であってもよい。また、各フィルタプレート２１は、いずれも同寸に形成されたものである。さらに、各プレート取り付け部材２２は、いずれも同寸に形成されたものであってもよい。
【００３８】
＜フィルタプレートについて＞
図２および図３に示すように、各フィルタプレート２１は、所定の厚み（板厚）ｔ、幅ｗおよび高さｈを有する板状に形成されている。ただし、フィルタプレート２１は、厚みｔが一定ではなく、図３に示すように、プレート取り付け部材２２への取り付け状態において、フィルタプレート２１におけるプレート取り付け部材２２の径方向の外端に位置された幅ｗ方向の一端（以下、外端と称する）から径方向の内端に位置された幅ｗ方向の他端（以下、内端と称する）に向かうにしたがって厚みｔが漸減する楔形状に形成されている。
【００３９】
また、図２に示すように、各フィルタプレート２１は、厚みｔ（図３参照）を隔てて互いに互いに対向する表面２１ａおよび裏面２１ｂに、フィルタ１の流路の一部を構成するための複数の溝部２１１を有している。この溝部２１１は、表面２１ａ／裏面２１ｂ上に、高さｈ方向に等間隔を設けるようにして幅ｗ方向の一端から他端に亘るように形成されている。ただし、溝部２１１は、幅ｗ方向に平行ではなく、幅ｗ方向に対して高さｈ方向側に傾斜されている。図２の場合には、表面２１ａ側に形成された溝部２１１が、幅ｗ方向における外端から内端に向かうにしたがって上方に傾斜され、一方、裏面２１ｂ側に形成された溝部２１１が、幅ｗ方向における外端から内端に向かうにしたがって下方に傾斜されている。
【００４０】
さらに、図２に示すように、各フィルタプレート２１の幅ｗ方向の内端における高さｈ方向の両端近傍位置には、一対のプレート取り付け部材２２がそれぞれ着脱（嵌合／離脱）可能に嵌合される一対の嵌合用切り欠き部２１２が形成されている。図２に示すように、各嵌合用切り欠き部２１２は、幅ｗ方向の内端から外端側に向かって長尺状に形成されているとともに、長手方向における中央位置において切り欠き幅（高さｈ方向の寸法）が狭まるような略ひょうたん形状を呈している。
【００４１】
この嵌合用切り欠き部２１２は、プレート取り付け部材２２を嵌合させる際に、まず、図２に示す内端側の比較的幅広の部位２１２ａにおいて、プレート取り付け部材２２（具体的には、後述する取り付け部２２１の先端部２２１ａ）による嵌合用切り欠き部２１２内へのスムーズな挿入開始を許容するようになっている。次いで、嵌合用切り欠き部２１２は、図２に示す前述した中央の狭小部２１２ｂにおいて、プレート取り付け部材２２が、狭小部２１２ｂの内側面を押圧してフィルタプレート２１を弾性変形させながら嵌合用切り欠き部２１２の更に奥に向かって挿入されることを許容するようになっている。最後に、嵌合用切り欠き部２１２は、図２に示す外端側の比較的幅広の部位２１２ｃにおいて、この部位２１２ｂ（一番奥）まで挿入されたプレート取り付け部材２２を、狭小部２１２ｂにおける弾性変形から復帰したフィルタプレート２１と協働して係止（嵌合）するようになっている。
【００４２】
さらにまた、図２に示すように、各嵌合用切り欠き部２１２の外端側には、プレート取り付け部材２２が狭小部２１２ｂを通過する際におけるフィルタプレート２１の弾性変形を円滑に行わせてプレート取り付け部材２２の嵌合動作を補助するための嵌合補助用切り欠き部２１３が連設されている。
【００４３】
また、図２に示すように、各嵌合用切り欠き部２１２の上下の近傍位置には、幅ｗ方向に長尺とされた各一対ずつの嵌合補助用長孔部２１４が穿設されており、これらの嵌合補助用長孔部２１４は、嵌合補助用切り欠き部２１３とともにプレート取り付け部材２２の嵌合動作を補助するようになっている。すなわち、嵌合補助用長孔部２１４は、フィルタプレート２１における狭小部２１２ｂの上下の近傍部位の剛性を脆弱化して狭小部２１２ｂを上下に広げるような方向へのフィルタプレート２１の弾性変形を行い易くするとともに、このように弾性変形した狭小部２１２ｂの上下の近傍部位の逃げ部として機能するようになっている。
【００４４】
なお、嵌合補助用切り欠き部２１３および嵌合補助用長孔部２１４は、プレート取り付け部材２２を嵌合用切り欠き部２１２から離脱させる場合には、嵌合時と同様に、プレート取り付け部材２２が狭小部２１２ｂを通過する際におけるフィルタプレート２１の弾性変形を円滑に行わせて離脱を補助するようになっている。
【００４５】
＜プレート取り付け部材について＞
一方、図２に示すように、プレート取り付け部材２２は、円環板状の取り付け部２２１を有しており、この取り付け部２２１の外周端である先端部２２１ａは、縦断面（図２）において円形状を呈するように他の部位よりも厚肉に形成されている。この取り付け部２２１は、図２に示すように、嵌合用切り欠き部２１２に嵌合されることによって、フィルタプレート２１をプレート取り付け部材２２に取り付けるようになっている。
【００４６】
また、図２に示すように、プレート取り付け部材２２は、取り付け部２２１の径方向における内端から取り付け部２２１と同心状に垂直に延出された第１の円筒部２２２を有している。この第１の円筒部２２２は、図２に示すように、フィルタプレート２１の内端に配置された内側面２１ｄに内接するようになっている。
【００４７】
さらに、図２に示すように、プレート取り付け部材２２は、第１の円筒部２２２の延出方向先端に、第１の円筒部２２２の径方向外方に向けて延出された第１の円筒部２２２と同心状のフランジ部２２３を有している。このフランジ部２２３は、図２に示すように、フィルタプレート２１の高さｈ方向の端面に接触するようになっている。
【００４８】
さらにまた、図２に示すように、プレート取り付け部材２２は、フランジ部２２３における第１の円筒部２２２と反対側の表面からフランジ部２２３と同心状に垂直に延出された第２の円筒部２２４を有している。この第２の円筒部２２４の内径は、第１の円筒部２２２の内径よりも大径に形成されていてもよい。
【００４９】
また、図１に示すように、第２の円筒部２２４の外径は、フィルタカートリッジ２をフィルタケース３内に安定的に保持するために、出口３１４の始端部３１４ａの内径および保持部３２３の内径よりも僅かに小さく形成されている。すなわち、図１に示すように、フィルタカートリッジ２のフィルタケース３内への収容状態において、上側のプレート取り付け部材２２の第２の円筒部２２４（換言すれば、フィルタカートリッジ２の上端部）は、出口３１４の始端部３１４ａ内に挿入されて保持されるようになっている。一方、下側のプレート取り付け部材２２の第２の円筒部２２４（換言すれば、フィルタカートリッジ２の下端部）は、保持部３２３内に挿入されて保持されるようになっている。
【００５０】
＜フィルタプレートの取り付け状態について＞
以上のようなプレート取り付け部材２２に対して、各フィルタプレート２１は、前述した嵌合用切り欠き部２１２を介してワンタッチで着脱可能とされている。また、前述した嵌合補助用切り欠き部２１３および嵌合補助用長孔部２１４によるプレート取り付け部材２２の嵌合の補助によって、ワンタッチ着脱を容易に行うことが可能となっている。
【００５１】
そして、各プレート取り付け部材２２への各フィルタプレート２１の取り付け状態において、各フィルタプレート２１は、図３に示すように、厚みｔ方向をプレート取り付け部材２２の周方向に沿わせるとともに幅ｗ方向をプレート取り付け部材２２の径方向に沿わせるようにして、他のフィルタプレート２１と周方向において隣接された状態になる。
【００５２】
このような状態において、各フィルタプレート２１は、その表面２１ａを、表面２１ａ側において隣接する他のフィルタプレート２１の裏面２１ｂに臨ませて、表面２１ａ側の溝部２１１による流路（フィルタ１の流路の一部）を構成するようになっている。一方、各フィルタプレート２１は、その裏面２１ｂを、裏面２１ｂ側において隣接する他のフィルタプレート２１の表面２１ａに臨ませて、裏面２１ｂ側の溝部２１１による流路（フィルタ１の流路の一部）を構成するようになっている。このとき、表面２１ａ側の溝部２１１と裏面２１ｂ側の溝部２１１とは、傾斜方向の上下が異なるため、互いに臨ませた表面２１ａ／裏面２１ｂの溝部２１１同士は、互いに格子状に交差されている。したがって、溝部２１１による流路は、この溝部２１１に交差する隣接するフィルタプレート２１の溝部２１１と相まった格子状の流路となる。なお、隣接するフィルタプレート２１同士は、互いに臨ませた表面２１ａ／裏面２１ｂ同士を互いに密接させてもよいことは勿論である。
【００５３】
〔フィルタの流路の具体的構成〕
以上のように構成されたフィルタ１の流路は、図４において液流として示されるように、入口３１３から流入させた液体を、隣接状態の複数のフィルタプレート２１の幅ｗ方向の外端にそれぞれ配置された各外側面２１ｃ（図１参照）において、液体中の異物を捕捉させて濾過させつつ、各外側面２１ｃ同士の間から溝部２１１による流路に流入させるような流路とされている。なお、外側面２１ｃにおいて捕捉しきれなかった異物を、溝部２１１による流路内において捕捉させてもよい。
【００５４】
また、フィルタ１の流路は、図４に示すように、溝部２１１による流路への流入後の液体を、各フィルタプレート２１の各内側面２１ｄ同士の間において、溝部２１１による流路から流出させるような流路とされている。ただし、図４には、簡略化された液流として、フィルタプレート２１内を径方向内方に向かって進む流れが示されている。
【００５５】
さらに、フィルタ１の流路は、図４に示すように、溝部２１１による流路からの流出後の液体を、上側のプレート取り付け部材２２の内周面の内側を通過させて出口３１４に至らせるような流路とされている。
【００５６】
〔本実施形態の作用・効果〕
＜組立時＞
本実施形態によれば、複数のフィルタプレート２１をプレート取り付け部材２２に周方向において隣接するように取り付けることによって、ばねを押し込む力に比べれば少ない力を以て異物を捕捉する面、すなわち、互いに隣接するフィルタプレート２１の外側面２１ｃを構成することができる。
【００５７】
そして、このようにしてフィルタプレート２１が取り付けられたフィルタカートリッジ２をフィルタケース３に収容する際には、上側のプレート取り付け部材２２の第２の円筒部２２４を出口３１４の始端部３１４ａ内に挿入するとともに下側のプレート取り付け部材２２の第２の円筒部２２４を保持部３２３内に挿入するようにして上側ケース３１と下側ケース３２とを螺合すれば済むので、ばねの押し込みは当然要しない。
【００５８】
これにより、ディスクフィルタに比較して、組み立てに要する労力を軽減させて取り扱い性を向上させることができる。
【００５９】
また、嵌合用切り欠き部２１２を介したフィルタプレート２１のワンタッチ装着が可能であるため、取り扱い性を更に向上させることができる。
【００６０】
＜使用時＞
また、本実施形態によれば、ディスクフィルタにおけるフィルタディスクと同様に、導水用の溝部が形成されたある程度の厚みおよび剛性を有するフィルタプレート２１を用いるので、いわゆるメッシュフィルタよりも濾過能力、耐久性およびメンテナンス性に優れているといったディスクフィルタの利点はそのまま踏襲することができる。
【００６１】
また、本実施形態のように、異物を捕捉する面として、内側面２１ｄに比較して面積が大きい外側面２１ｃを用いれば、液体の流量を同一と仮定した場合に、異物の捕捉面における単位面積あたりの異物の捕捉量を低減することができるので、濾過能力の経時低下を緩和することができる。これにより、フィルタプレート２１に要する洗浄の頻度を少なくしてメンテナンス労力を軽減することができる。また、これに関連して、メンテナンス労力は、嵌合用切り欠き部２１２を介したフィルタプレート２１のワンタッチ離脱が可能であることによって更に軽減されている。さらに、本実施形態によれば、フィルタカートリッジ２における一方のプレート取り付け部材２２のみを取り外して他方のプレート取り付け部材２２に取り付けられた状態の各フィルタプレート２１をまとめて簡便に洗浄することもできる。
【００６２】
さらに、本実施形態によれば、ディスクフィルタのように金属製のばねを要しない上に、フィルタ１の全部品が樹脂材料によって形成されているため、金属製のばねを要するディスクフィルタのように、液体（例えば、液肥の成分）によってばねが腐食して金属イオンが液体中に溶出して液体の供給対象（例えば、植物）に害をなすようなことがなくなる。これにより、濾過後の液体の液質に対する信頼性を確保することができる。
【００６３】
さらにまた、本実施形態によれば、楔形状のフィルタプレート２１を用いることによって、隣接するフィルタプレート２１間の密着性を確保することができるので、細かい異物も確実に捕捉することができる。
【００６４】
また、その一方で、本実施形態によれば、フィルタプレート２１の取り付け枚数を調整することによって、フィルターのメッシュ数（すなわち、捕捉可能な異物の最小寸法）を変更することも可能である。ばねによって常時付勢されたディスクフィルタにおいては、このような使用態様を選択することは困難である。
【００６５】
＜部品製造時＞
また、本実施形態によれば、矩形のフィルタプレート２１を射出成形によって得る場合には、円形のフィルタディスクに比較して、金型に対する成形品の駒の配置密度を高密度化することができる。これにより、ディスクフィルタに比較して、１回の成形あたりに得られる成形品の個数を増やすことができるので、製造効率を向上させることができる。
【００６６】
さらに、ばねを要しないので、部品点数を抑えることができ、経済性を向上させることができる。
【００６７】
＜設計変更時＞
さらに、本実施形態によれば、異物の捕捉面積を増加させたい場合には、フィルタケース３およびプレート取り付け部材２２として大径のものを用意すれば、フィルタプレート２１の形状はそのままに、取り付け枚数だけを増加させれば済む。ディスクフィルタにおいて同じことを行おうとする場合には、フィルタディスクの大径化を免れられない。したがって、本実施形態の構成は、このような設計変更に既存の構成を活用することができるので、汎用性および経済性に優れている。
【００６８】
以上のように、本実施形態のフィルタ１は、様々な場面において、ディスクフィルタに比較して優れた効果を奏することができる。
【００６９】
なお、本発明は、前述した実施の形態に限定されるものではなく、本発明の特徴を損なわない限度において種々変更してもよい。
【００７０】
例えば、フィルタケース３内に、複数のフィルタカートリッジ２を段積み状態に収容可能に構成してもよい。
【００７１】
また、必要に応じて、フィルタプレート２１の内側面２１ｄを異物の捕捉面としてもよい。
【００７２】
さらに、溝部２１１は、表面２１ａおよび裏面２１ｂの一方にのみ形成するようにしてもよい。
【符号の説明】
【００７３】
１  フィルタ
２  フィルタカートリッジ
３  フィルタケース
２１  フィルタプレート
２１ａ  表面
２１ｂ  裏面
２２  プレート取り付け部材
２１１  溝部
３１３  入口
３１４  出口
【図１】
2013236994.tif 000003
【図２】
2013236994.tif 000004
【図３】
2013236994.tif 000005
【図４】
2013236994.tif 000006